(57)【要約】【課題】連続した粘着シートを簡単に貼付することのできるエスカレータハンドレール用連続シート貼付装置を得る。【解決手段】エスカレータハンドレール用連続シート貼付装置は、エスカレータの欄干に取り付けられ得る台座上に貼付ユニットを備え、ハンドレール上に連続粘着シートを貼付するための装置であって、貼付ユニットは、粘着シートのロールから繰り出されたシート裏紙を排出する一対のシート裏紙排出ローラと、台座に設けられ、ハンドレール上に摩擦接触して回転される駆動ローラと、駆動ローラの回転をシート裏紙排出ローラに伝達する伝達装置とを備えている。【選択図】        図１
2004206001.tif 000002
【特許請求の範囲】
【請求項１】
エスカレータの欄干に取り付けられ得る台座上に貼付ユニットを備え、ハンドレール上に連続した粘着シートを貼付するための装置であって、
上記貼付ユニットは、上記粘着シートのロールから繰り出されたシート裏紙を排出する一対のシート裏紙排出ローラを備えたことを特徴とするエスカレータハンドレール用連続シート貼付装置。
【請求項２】
上記台座に設けられ、ハンドレール上に摩擦接触して回転される駆動ローラと、上記駆動ローラの回転を上記シート裏紙排出ローラに伝達する駆動装置とを備えたことを特徴とする請求項１に記載のエスカレータハンドレール用連続シート貼付装置。
【請求項３】
上記貼付ユニットは、先端でハンドレール上に貼付された粘着シートをハンドレールの移動に応じてハンドレール上に連続的に供給する粘着シート供給装置と、上記粘着シート供給装置から供給された粘着シートを上記ハンドレールの表面に沿って案内して貼付ける案内貼付装置とを備えたことを特徴とする請求項１乃至２のいずれか一項に記載のエスカレータハンドレール用連続シート貼付装置。
【請求項４】
上記貼付ユニットの上記案内貼付装置は、上記台座に設けられて、ハンドレール上に供給された粘着シートにハンドレールの移動方向に見て下流側に向かって次第に方向が変化する押圧力を加える複数の押圧ローラを備え、上記粘着シートをハンドレールの表面に沿って曲げて密着させることを特徴とする請求項１乃至３のいずれか一項に記載のエスカレータハンドレール用連続シート貼付装置。
【請求項５】
上記台座が、上記貼付ユニットを支持するフレームと、上記フレームに設けられてエスカレータの欄干に固着され得る吸盤装置を有する固定装置とを備えたことを特徴とする請求項１乃至４のいずれか一項に記載のエスカレータハンドレール用連続シート貼付装置。
【発明の詳細な説明】
【０００１】
【発明の属する技術分野】
この発明はエスカレータ等の乗客コンベアハンドレール用連続シート貼付装置に関し、特に連続した粘着シートを連続的にハンドレールに貼付するエスカレータハンドレール用連続シート貼付装置に関する。
【０００２】
【従来の技術】
従来の宣伝広告や案内などの表示を有するエスカレータ用ハンドレールは、表示を印刷した樹脂製シート、フィルム等の比較的短いシールをハンドレールの表面に多数枚定間隔に接着したものであり、ハンドレールのほぼ平坦な表面中央部にだけ接着されている（例えば、特許文献１参照。）。
【０００３】
また、ハンドレールの中央部分の表面に記入表示を行い、その上に樹脂コーティングを施しているものもある（例えば、特許文献２参照）。
【０００４】
【特許文献１】
実開昭６１−５９２７４号公報  （第３頁第１行から第８行）
【特許文献２】
実開昭６３−１６２７７７号公報  （第３頁から第４頁）
【０００５】
【発明が解決しようとする課題】
しかしながら、多数枚のシールを貼り付けられたハンドレールでは、シールの外縁が手によって繰り返し摺られたり、ハンドレール駆動装置の押圧車輪で摩擦駆動されるためにシールが剥離しやすいという問題があった。さらに、多数枚のシールを貼り付ける作業と剥離する作業とに多くの人手および時間がかかるという問題もあった。
また、ハンドレール全長に渡るような長い連続した粘着シートは貼付にも剥離にも多大のマンパワーを要し、ある場合には貼付作業だけに３時間を要したこともあった。
【０００６】
また、表示の上に樹脂を一旦コーティングすると、表示内容を変更するためにはハンドレールの全体を交換しなければならず、宣伝広告などの表示内容を定期的に変更することはコスト面から実際上不可能であったという問題があった。
【０００７】
従って、この発明の目的は、連続した粘着シートを簡単に貼付することのできるエスカレータハンドレール用連続シート貼付装置を得ることである。
【０００８】
【課題を解決するための手段】
この発明に係わるエスカレータハンドレール用連続シート貼付装置においては、エスカレータの欄干に取り付けられ得る台座上に貼付ユニットを備え、ハンドレール上に連続粘着シートを貼付するための装置であって、貼付ユニットは、粘着シートのロールから繰り出されたシート裏紙を排出する一対のシート裏紙排出ローラと、台座に設けられ、ハンドレール上に摩擦接触して回転される駆動ローラと、駆動ローラの回転をシート裏紙排出ローラに伝達する伝達装置とを備えている。
【０００９】
【発明の実施の形態】
実施の形態１．
図１はこの発明の実施の形態１のエスカレータハンドレール用連続シート貼付装置の概略正面図、図２は図１のＡ−Ａ断面での概略断面図、図３は図１の案内貼付装置の概略平面図、図４は図３のＢ−Ｂ断面での概略断面図である。
【００１０】
エスカレータハンドレール用連続シート貼付装置は、エスカレータの欄干１に取り付けられ得る台座２上に貼付ユニット３が備えられている。
台座２にはフレーム４と、欄干１の欄干パネル５の片側に配置されるようにフレーム４に固定された２本の保持アーム６と、その先端に付けられた吸盤装置７とを有する固定装置８が備えられている。またフレーム４にはベース部４ａと、貼付ユニット３を支持する立ち上がり部４ｂが備えられている。フレーム４は固定装置８で欄干パネル５に固着されている。
【００１１】
貼付ユニット３は、先端でハンドレール９上に貼付された粘着シート１０をハンドレール９の移動に応じてハンドレール９上に連続的に供給する粘着シート供給装置１１と、粘着シート供給装置１１から供給された粘着シート１０をハンドレール９の表面に沿って案内して貼付ける案内貼付装置１２とを備えている。
【００１２】
粘着シート供給装置１１は、フレーム４に回転自在に支持され、供給フィルムのロール１３を回転可能に支持するフィルム支持軸１４と、フレーム４に回転自在に支持され、供給フィルムのロール１３から繰り出されたシート裏紙１５を排出する一対の裏紙排出ローラ１６、１７と、一対の裏紙排出ローラの一方の裏紙排出ローラ１７にハンドレール９の移動速度に対応する速度で駆動する駆動装置１８とを備えている。
【００１３】
駆動装置１８は、台座２に回転自在に軸支され、裏紙排出ローラ１７に外接して、裏紙排出ローラ１７に回転動作を伝達する、ハンドレール９とほぼ等しい幅の駆動ローラ１９と、ハンドレール９の直線移動を駆動ローラ１９の回転運動に変換する加圧ローラ部２０とを備えている。
【００１４】
加圧ローラ部２０は、加圧ローラ２１と、クランクアーム２２と、圧力調整アーム２３と、移動ネジ２４とを備えている。加圧ローラ２１は駆動ローラ１９の側面からハンドレール９の表面とその耳の部分との高さに相当する位置に配置されるように、クランクアーム２２の先端に回転自在に固定されている。クランクアーム２２は圧力調整アーム２３の先端に回転自在に支持され、圧力調整アーム２３の他端にネジ２３ａが切られ、そのネジ２３ａに対向する位置の台座２にもネジ２ａが切られて、そのネジ２３ａとネジ２ａと嵌合した移動ネジ２４が設けられている。移動ネジ２４にナット２５が固定されて、移動ネジ２４はネジ２３ａを下方に貫通している。
【００１５】
フィルム支持軸１４に設けられた雌ねじ部１４ａに嵌合し、フィルム支持軸１４に供給フィルムのロール１３を固定するナット２６がフィルム支持軸１４に備えられている。
【００１６】
案内貼付装置１２は、粘着シート供給装置１１から供給された粘着シート１０を案内貼付装置１２に引き込むゴムローラ２７と、ハンドレール９上に供給された粘着シート１０にハンドレール９の移動方向に見て下流側に向かって次第に方向が変化する押圧力を加える複数の押圧ローラ２８とを備えている。
ゴムローラ２７はゴムライニングされ、台座２に対して水平にフレーム４で回転自在に軸支されている。
【００１７】
図３を参照して押圧ローラ２８ａについて説明するが、後に説明する取付角度以外はその他の押圧ローラ２８ｂ、２８ｃ、２８ｄ、２８ｅも同じ構造である。押圧ローラ２８はそれぞれ押圧ローラ回動部材２９に回転自在に支持され、押圧ローラ回動部材２９はネジリコイルバネ３０で付勢され、取付部材３１に対して回動自由に支持されている。複数の取付部材３１は一対の鞍状の押圧部材取付板３２の内側面３２ａに固定されている。押圧部材取付板３２の外側面に平行な２個の直線軸受３３が設けられ、台座２に設けられた直線軸３４と嵌合して、水平方向に調整移動ができる。一対の押圧部材取付板３２間の間隔を調整するバネ３５とクランプ３６とからなる。
【００１８】
ハンドレール１０の移動方向に見て、ハンドレール１０の幅方向の内側に固定されている押圧ローラ２８ほど上流側に固定されている。
押圧ローラ２８は粘着シート１０の上から押圧力を加えて、粘着シート１０をハンドレール９の表面に沿って曲げて密着する。押圧力の方向は、押圧ローラ２８の軸に垂直である。押圧ローラ２８の軸はハンドレール９の移動方向に対して５個ともほぼ直角であるが、粘着シート１０に幅方向の張力を与えつつ貼付するためには僅かに傾けると良い結果が得られる。さらにハンドレール９の幅方向の内側に固定された押圧ローラ２８の軸ほど、ハンドレール９の鞍状の平坦部の平面に対して平行であり、外側に固定された押圧ローラ２８の軸ほど傾いている。
【００１９】
図４の押圧部材取付板３２の断面図に示すように、押圧部材取付板３２の内側面３２ａはハンドレール９の鞍状の平坦部の平面に対して平行な頂上部３２ｂと、約４５度傾いた肩部３２ｃと、約７０度傾いた裾部３２ｄと、約９０度傾いた裾先端部３２ｅとを有し、頂上部３２ｂに押圧ローラ２８ａ、肩部３２ｃに押圧ローラ２８ｂと２８ｃ、裾部３２ｄに押圧ローラ２８ｄ、裾先端部３２ｅに押圧ローラ２８ｅを取付部材２９を介して固定されていて、押圧ローラ２８の押圧力の方向を決めている。
【００２０】
さらに、ハンドレール９の移動方向に見て押圧部材取付板３２の先端にハンドレール締付ローラセット３３が備えられている。ハンドレール締付ローラセット３７は、押圧部材取付板３２の外側面３２ｆに固定され、ハンドレール９の幅方向に対して外側に約４５度傾いたアーム３８と、アーム３８に直角に保持された固定板３９と、固定板３９にネジリコイルバネ３０で付勢されて回動自由に支持された締付ローラ回動部材４０と、締付ローラ回動部材４０に回転自在に支持された締付ローラ４１とを備えている。
【００２１】
台座２のハンドレール９の移動方向に対して、貼付ユニット３の終端部に台座２とハンドレール９の水平方向を調整する調整ローラ４２が台座２に回転自在に固定されている。
【００２２】
このような構成のエスカレータハンドレール用連続シート貼付装置の操作について説明する。
貼付するハンドレール９は、ハイパロンゴムからなり、高さ３０ｍｍ、幅８０ｍｍ位の鞍状の断面形状で、長さは一周で３０ｍ位の無端ベルトである。一方、フィルムはシンセディックポリマーフィルムの片側に印刷して表示体を設け、その印刷面に粘接着剤を塗布した粘着シート１０と、その上をラミネートしたシリコーン離型剤を塗布されたシート裏紙１５からなり、幅１３０ｍｍ位で外径８０ｍｍの紙管に所望の長さ、通常はハンドレール一周分である３０ｍを巻回されたロール１３になっている。
【００２３】
フィルムロール１３をフィルム支持軸１４に挿入後、ナット２６を締め付けて固定する。フィルムロール１３をシート裏紙１５と粘着シート１０とに分離し、シート裏紙１５を裏紙排出ローラ１６まで引っ張り出して先端部を裏紙排出ローラ１６、１７の接触面に差し込み、ハンドレール９を動かして、シート裏紙１５を裏紙排出ローラ１６、１７間を通過させる。一方、粘着シート１０をゴムローラ２７とハンドレール９の間を通過させてハンドレール９の移動方向にさらに引き出し平たくハンドレール９に貼り付ける。この状態から、押圧部材取付板３２の間隔を縮めて、押圧ローラ２８がハンドレール９に当たるまでスライドし、停止したところでクランプ３６で固定する。この段階で、手で粘着シート１０の貼り付けの不十分の箇所を直したり、印を付けておく。次に１ｍ位ハンドレール９を送って、手で貼り付けた部分を切り取っておく。なお、裏紙排出ローラ間を通過したシート裏紙１５を受けるゴミ箱を図示しないエスカレータの踏段などに設置する。
さらに、加圧ローラ部２０を調整する。ナット２５を回転して、加圧ローラ２１をハンドレール９の首部に当て、さらにナット２５を回転して所望の圧力を駆動ローラ１９に加える。ハンドレール９と駆動ローラ１９との摩擦力を調整して、ハンドレール９の移動に伴って、駆動ローラ１９と裏紙排出ローラ１７、１６が回転するようにする。
【００２４】
次に、ハンドレール９を自動で駆動すると、ハンドレール９に粘着シート１０が引っ張られて、粘着シート１０がフィルムロール１３から引き出される。一方、シート裏紙１５は裏紙排出ローラ１６、１７間を通過して押し出され、ゴミ箱に収納される。
【００２５】
ここで案内貼付装置１２の動作を説明する。尚、ハンドレール９の断面は緩やかに幅方向に傾いた緩慢傾斜部と、約４５度に外側に傾いた肩部と、ほぼ直立した壁部と、さらに内側に傾いた首部がなめらかな曲線で結ばれた周囲を有している。
新規なフィルムロール１３からゴムローラ２７とハンドレール９の間を通過した粘着シート１０は、ハンドレール９の緩慢傾斜部に平らな状態で貼付され、さらに粘着シート１０はハンドレール９と一緒に移動して、押圧ローラ２８ａとハンドローラ９の緩慢傾斜部の間に挿入されて、その部分の粘着シート１０が貼付される。さらに、粘着シート１０はハンドレール９と一緒に移動して、押圧ローラ２８ｂとハンドレール９の緩慢傾斜部の下部へ間に挿入され、その部分の粘着シート１０が貼付される。このようにして、押圧ローラ２８ｃ、押圧ローラ２８ｄ、押圧ローラ２８ｅとハンドレール９との当接する箇所を通過する過程で粘着シート１０が皺や気泡を残さずに貼付される。さらに、ハンドレール締付ローラセット３７の締付ローラ４１とハンドレール９の首部との間に粘着シート１０が引き込まれて、粘着シート１０の幅方向の端部が貼付される。
貼付した部分が重なるまで貼付し、その後、端部に隙間がないように切り取って、その端部を接着力の大きな粘着テープで覆っておく。
【００２６】
このようなハンドレール用粘着シート貼付装置を用いると、一旦粘着シートの長さ方向の先端部をハンドレールに貼付すれば、その後は人手を煩わせることなく、ハンドレールの移動に伴って粘着シート及びシート裏紙が引き出されて、粘着シートをハンドレールに貼付することができ、発生したシート裏紙を一箇所に収納することも同時にできる。
【００２７】
なお、このエスカレータハンドレール用連続シート貼付装置をエスカレータに関して説明したが、歩く歩道のようにハンドレールで乗客を案内する装置にも同様に適用可能である。
【００２８】
【発明の効果】
以上の如くこの発明の粘着シート付ハンドレールによる効果は次の通りである。
エスカレータハンドレール用連続シート貼付装置は、エスカレータの欄干に取り付けられ得る台座上に貼付ユニットを備え、ハンドレール上に連続粘着シートを貼付するための装置であって、貼付ユニットは、粘着シートのロールから繰り出されたシート裏紙を排出する一対のシート裏紙排出ローラと、台座に設けられ、ハンドレール上に摩擦接触して回転される駆動ローラと、駆動ローラの回転をシート裏紙排出ローラに伝達する伝達装置とを備えているので、一旦粘着シートの長さ方向の先端部をハンドレールに貼付すれば、その後は人手を煩わせることなく、ハンドレールの移動に伴って粘着シート及びシート裏紙が引き出されて、粘着シートをハンドレールに貼付することができ、発生したシート裏紙を一箇所に収納することも同時にできる。
【図面の簡単な説明】
【図１】この発明の実施の形態１のエスカレータハンドレール用連続シート貼付装置の概略正面図である。
【図２】図１のＡ−Ａ断面での概略断面図である。
【図３】図１の案内貼付装置の概略平面図である。
【図４】図３のＢ−Ｂ断面の概略断面図である。
【符号の説明】
１  欄干、２  台座、３  貼付ユニット、４  フレーム、５  欄干パネル、６保持アーム、７  吸盤装置、８  固定装置、９  ハンドレール、１０  粘着シート、１１  粘着シート供給装置、１２  案内貼付装置、１３  供給フィルムのロール、１４  フィルム支持軸、１５  シート裏紙、１６、１７  裏紙排出ローラ、１８  駆動装置、１９  駆動ローラ、２０  加圧ローラ部、２１  加圧ローラ、２２  クランクアーム、２３  圧力調整アーム、２４  移動ネジ、２５、２６  ナット、２７  ゴムローラ、２８  押圧ローラ、２９  押圧ローラ回動部材、３０  ネジリコイルバネ、３１  取付部材、３２  押圧部材取付板、３３  直線軸受、３４  直線軸、３５  バネ、３６  クランプ、３７  ハンドローラ締付ローラセット、３８  アーム、３９  固定板、４０  締付ローラ回動部材、４１締付ローラ、４２  調整ローラ。
【図１】
2004206001.tif 000003
【図２】
2004206001.tif 000004
【図３】
2004206001.tif 000005
【図４】
2004206001.tif 000006